【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
横編機の針床の歯口側先端に形成されるシンカ溝に一部が収容され、シンカ溝よりも突出する部分が歯口に進退揺動可能であり、編地を押さえるための編糸受け部が先端に設けられた可動シンカにおいて、
該シンカ溝に収容される部分を含む内縁側で、該シンカ溝の幅よりも薄い薄肉部と、
該編糸受け部を含み、かつ該シンカ溝から突出し、かつ歯口側に臨み、編成中に編糸が掛かる部分であるシンカの外縁側の部分に、該シンカ溝と該薄肉部との間の隙間を覆うように該シンカ溝の幅よりも厚く形成され、この隙間に編糸が落ち込むのを防止する厚肉部とを有することを特徴とする可動シンカ。
【請求項２】
歯口を挟んで対向するように前後に配設される少なくとも一対の針床と、各針床の歯口側先端に形成されるシンカ溝に一部が収容され、シンカ溝よりも突出する部分が歯口に進退揺動可能であり、編地を押さえるための編糸受け部が先端に設けられた可動シンカとを備える横編機において、
該可動シンカは、
該シンカ溝に収容される部分を含む内縁側で、該シンカ溝の幅よりも薄い薄肉部と、
該編糸受け部を含み、かつ該シンカ溝から突出し、かつ歯口側に臨み、編成中に編糸が掛かる部分であるシンカの外縁側の部分に、該シンカ溝と該薄肉部との間の隙間を覆うように該シンカ溝の幅よりも厚く形成され、この隙間に編糸が落ち込むのを防止する厚肉部とを有することを特徴とする可動シンカを備える横編機。
【請求項３】
前記針床には、先端側が歯口に突出して、編針が歯口で編糸の供給を受けて編目ループを形成する際に編糸を案内するヤーンガイドとして機能し、基端側が針床で編針が歯口に対して進退変位するように収容される針溝内でスペーサとして機能するヤーンガイドスペーサが可動シンカと並設され、
ヤーンガイドスペーサのヤーンガイドとして機能する部分には、抜き穴が形成されていることを特徴とする請求項２記載の可動シンカを備える横編機。
【請求項４】
前記可動シンカの薄肉部の形状は、該可動シンカが前記歯口に進出している状態で、前記ヤーンガイドスペーサの抜き穴の形状に大略的に一致していることを特徴とする請求項３記載の可動シンカを備える横編機。
【請求項５】
前記針溝の底部が歯口に臨む先端部分が天歯として機能することを特徴とする請求項３または４記載の可動シンカを備える横編機。
【手続補正２】
【補正対象書類名】明細書
【補正対象項目名】００１１
【補正方法】変更
【補正の内容】
【００１１】
本発明は、横編機の針床の歯口側先端に形成されるシンカ溝に一部が収容され、シンカ溝よりも突出する部分が歯口に進退揺動可能であり、編地を押さえるための編糸受け部が先端に設けられた可動シンカにおいて、
該シンカ溝に収容される部分を含む内縁側で、該シンカ溝の幅よりも薄い薄肉部と、
該編糸受け部を含み、かつ該シンカ溝から突出し、かつ歯口側に臨み、編成中に編糸が掛かる部分であるシンカの外縁側の部分に、該シンカ溝と該薄肉部との間の隙間を覆うように該シンカ溝の幅よりも厚く形成され、この隙間に編糸が落ち込むのを防止する厚肉部とを有することを特徴とする可動シンカである。
【手続補正３】
【補正対象書類名】明細書
【補正対象項目名】００１２
【補正方法】変更
【補正の内容】
【００１２】
さらに本発明は、歯口を挟んで対向するように前後に配設される少なくとも一対の針床と、各針床の歯口側先端に形成されるシンカ溝に一部が収容され、シンカ溝よりも突出する部分が歯口に進退揺動可能であり、編地を押さえるための編糸受け部が先端に設けられた可動シンカとを備える横編機において、
該可動シンカは、
該シンカ溝に収容される部分を含む内縁側で、該シンカ溝の幅よりも薄い薄肉部と、
該編糸受け部を含み、かつ該シンカ溝から突出し、かつ歯口側に臨み、編成中に編糸が掛かる部分であるシンカの外縁側の部分に、該シンカ溝と該薄肉部との間の隙間を覆うように該シンカ溝の幅よりも厚く形成され、この隙間に編糸が落ち込むのを防止する厚肉部とを有することを特徴とする可動シンカを備える横編機である。
【手続補正４】
【補正対象書類名】明細書
【補正対象項目名】００１６
【補正方法】変更
【補正の内容】
【００１６】
本発明によれば、可動シンカは、横編機の針床の歯口側先端に形成されるシンカ溝に一部が収容され、シンカ溝に収容される部分を含む内縁側で、シンカ溝の幅よりも薄い薄肉部となる。可動シンカで、シンカ溝よりも歯口側に突出する外縁側では、厚肉部がシンカ溝と薄肉部との間の隙間を覆うように形成されるので、この隙間に編糸が落込むのを確実に防止することができる。
【手続補正５】
【補正対象書類名】明細書
【補正対象項目名】００１７
【補正方法】変更
【補正の内容】
【００１７】
さらに本発明によれば、歯口を挟んで対向するように配設される針床の歯口側先端にはシンカ溝が形成され、シンカ溝には歯口に進退揺動可能な可動シンカの一部が収容される。可動シンカは、薄肉部と厚肉部とを有し、薄肉部は、シンカ溝に収容される部分を含む内縁側で、シンカ溝の幅よりも薄い。厚肉部は、シンカ溝の幅よりも厚く、シンカ溝と薄肉部との間の隙間を覆うので、この隙間に編糸が落込むのを確実に防止することができる。
【手続補正６】
【補正対象書類名】明細書
【補正対象項目名】００２４
【補正方法】変更
【補正の内容】
【００２４】
針溝１２ａには、編針１５が収容されるとともに、可動シンカ１６も並設される。可動シンカ１６は、先端に編糸受け部１６ａを有し、編糸受け部１６ａが歯口１３内で編地押えモーションを行うように、揺動変位することは、図１０に示す可動シンカ６と同様である。ただし、編糸受け部１６ａは肉厚が厚い厚肉部１６ｃに形成される。歯口１３には、天歯１２ｂ付近に、可動シンカ１６を収容するシンカ溝１２ｃが形成されている。シンカ溝１２ｃの幅は、可動シンカ１６の厚肉部１６ｃの厚さよりも小さくする。可動シンカ１６でシンカ溝１２ｃに収容される部分は、シンカ溝１２ｃの幅よりも薄い薄肉部１６ｄとする。すなわち、可動シンカ１６は、横編機１１の針床１２の歯口１３側先端に形成されるシンカ溝１２ｃに一部が収容され、シンカ溝１２ｃよりも突出する部分が歯口１３に進退揺動可能であるように、薄肉部１６ｄと厚肉部１６ｃとを有する。薄肉部１６ｄは、シンカ溝１２ｃに収容される部分を含む内縁側で、シンカ溝１２ｃの幅よりも薄い。厚肉部１６ｃは、シンカ溝１２ｃよりも歯口１３側に突出する外縁側で、シンカ溝１２ｃと薄肉部１６ｄとの間の隙間を覆うように形成される。厚肉部１６ｃは、シンカ溝１２ｃの幅よりも厚く、シンカ溝１２ｃと薄肉部１６ｄとの間の隙間を覆うので、この隙間に編糸が落込むのを確実に防止することができる。
【手続補正７】
【補正対象書類名】明細書
【補正対象項目名】００２９
【補正方法】変更
【補正の内容】
【００２９】
図３に示すように、可動シンカ１６は、横編機１１の針床１２の歯口１３側先端に形成されるシンカ溝１２ｃに一部が収容され、シンカ溝１２ｃよりも突出する部分が歯口１３に進退揺動可能である。可動シンカ１６は、薄肉部１６ｄと厚肉部１６ｃとを有する。薄肉部１６ｄは、シンカ溝１２ｃに収容される部分を含む内縁側で、シンカ溝１２ｃの幅よりも薄い。厚肉部１６ｃは、シンカ溝１２ｃよりも歯口１３側に突出する外縁側で、シンカ溝１２ｃと薄肉部１６ｄとの間の隙間を覆うように形成される。厚肉部１６ｃは、シンカ溝１２ｃの幅よりも厚く、シンカ溝１２ｃと薄肉部１６ｄとの間の隙間を覆うので、この隙間に編糸が落込むのを確実に防止することができる。